(57)【要約】【課題】      ルア−の動きによって複雑に光を反射して十分に魚を誘うルア−を提供することである。【解決手段】  ルア−１は透明、半透明などの透光性を有するルア−本体２と、このルア−本体２内に設けられた反射板３を有している。  ルア−本体２の内側の中空部Ａ内に反射板３が支持されて反射板３は中心ａを中心に、上下方向に垂直に延びた突片３ａ、３ａと、左右方向に水平に延びた突片３ａ、３ａで断面十字状に形成されて反射板３は一つの突片３ａに対して中心ａで角度９０度づつ屈曲して形成されて各突片３ａの端部３ｂがルア−本体２の内側面２ｄに当接して支持され、それぞれの突片３ａの両側には反射面４が形成され、反射面４は平面状でルア−本体２の前後方向に延びて形成されている。【選択図】        図１
2010154762.tif 000002
【特許請求の範囲】
【請求項１】
透光性を有するルア−本体と該ルア−本体の内部に設けられ、反射面が形成された反射板を有するルア−において、前記反射板は、屈曲部を介して方向が異なる複数の反射面を有していることを特徴とするルア−。
【請求項２】
複数の反射面は、ルア−本体の前後方向に延設されていることを特徴とする請求項１に記載のルア−。
【請求項３】
複数の反射面は、ルア−本体の周方向に方向が異なっていることを特徴とする請求項１又は２に記載のルア−。
【請求項４】
複数の反射面は、ルア−本体の中央側から外周方向に突出した突片に形成されていることを特徴とする請求項１乃至３の何れか１つに記載のルア−。
【請求項５】
反射板は、垂直方向と水平方向の反射面を有していることを特徴とする請求項１から４の何れかに記載のルア−。
【発明の詳細な説明】
【技術分野】
【０００１】
本発明は、透光性を有するルア−本体の内部に反射板を設けたルア−に関する。
【背景技術】
【０００２】
従来から特許文献１のように透光性を有するルア−本体の内部に光反射板を配して魚を誘うようにしたルア−が用いられている。
しかしこのルア−は、ルア−本体の中央側に１枚の反射板が保持されているだけで、光の反射が単調で、ルア−の１回の動きに対し１度光を反射するだけであまり魚の気を引かなかった。
【特許文献１】特開２００２−３４３９号公報
【発明の開示】
【発明が解決しようとする課題】
【０００３】
解決しようとする問題点は、従来のルア−本体に１枚の平らな反射板が保持されているルア−では光の反射が単調で、ルア−の１回の動きに対し１度光を反射するだけであまり魚の気を引かないことである。
【０００４】
本発明の目的は前記欠点に鑑み、ルア−の動きによって複雑に光を反射して十分に魚を誘うルア−を提供することである。
【課題を解決するための手段】
【０００５】
本発明の請求項１は、透光性を有するルア−本体と該ルア−本体の内部に設けられ、反射面が形成された反射板を有するルア−において、前記反射板は、屈曲部を介して方向が異なる複数の反射面を有していることを要旨とするものである。
本発明の請求項２は、複数の反射面は、ルア−本体の前後方向に延設されていることを要旨とするものである。
本発明の請求項３は、複数の反射面は、ルア−本体の周方向に方向が異なっていることを要旨とするものである。
本発明の請求項４は、複数の反射面は、ルア−本体の中央側から外周方向に突出した突片に形成されていることを要旨とするものである。
本発明の請求項５は、反射板は、垂直方向と水平方向の反射面を有していることを要旨とするものである。
【発明の効果】
【０００６】
本発明の請求項により、ルア−の動き（アクション）によって方向の異なる反射板の反射面がそれぞれ光を反射して十分に魚を誘うことができる。
また、方向が異なる反射面はそれぞれ光を反射するタイミングが異なって時間差を持って光を反射するため目立って、十分に魚の気を引くことができる。
さらに、反射面はルア−本体の周方向に方向が異なっているため、ルア−の前後方向軸線を中心に左右に揺動（ロ−リング）する時に方向の異なる反射板の反射面がそれぞれ光を反射して十分に魚を誘うことができる。
さらに、反射面は、左右中心線を挟んでそれぞれ左右両側に均等に配されているためルア−本体のバランスも良好となる。
【発明を実施するための最良の形態】
【０００７】
ルア−１は、透明、半透明などの透光性を有するルア−本体２と、このルア−本体２内に設けられた反射板３を有している。
ルア−本体２は、合成樹脂等で一体または左右を外殻を貼り合わせて中空状に形成される。
ルア−本体２の内側には、中空部Ａが形成され、この中空部Ａ内に反射板３が支持されている。
反射板３は中心ａを中心に、上下方向に垂直に延びた突片３ａ、３ａと、左右方向に水平に延びた突片３ａ、３ａで断面十字状に形成されている。
即ち反射板３は一つの突片３ａに対して中心ａで角度９０度づつ屈曲して形成されている。
反射板３は一体に形成したり、突片３ａごとに形成して互いに接続して形成しても良い。
反射板３は各突片３ａの端部３ｂがルア−本体２の内側面２ｄに延びる複数の板状の突片３ａを有することになり、その端部３ｂがルア−本体２の内側面２ｄに当接して支持されている。
それぞれの突片３ａの両側には反射面４が形成され、反射面４は平面状でルア−本体２の前後方向に延びて形成されている。
反射板３は合成樹脂で形成し、その表面に反射面４を形成するために、メッキや蒸着によって金属薄膜層を形成したり、金属板や金属箔を添着したり、合成樹脂板に内蔵させたり合成樹脂板の間に介在させたりして金属層を形成する他、反射板３自体を金属によって形成することができる。
この場合表面を研磨して光の反射を良好にしておくと良い。
【実施例１】
【０００８】
以下、図示の実施例によって本発明を説明すると、図１から図３は第１実施例で図１はルア−の外観斜視図、図２はルア−の側面図、図３はルア−の断面正面図である。
【０００９】
ルア−１は、透明、半透明などの透光性を有するルア−本体２と、このルア−本体２内に設けられた反射板３を有している。
ルア−本体２は、合成樹脂等で一体または左右を外殻を貼り合わせて中空状に形成される。
ルア−本体２の外側には、その先端２ａに釣り糸を結ぶためにリング状の釣り糸取り付け部１０が設けられ、ルア−本体２の下側の腹部２ｂと後端２ｃにそれぞれ釣り針１１（トレブルフック）が揺動可能に取り付けられ、目１２などの装飾が施されている。
ルア−本体２の内側には、中空部Ａが形成され、この中空部Ａ内に反射板３が支持されている。
反射板３は中心ａを中心に、上下方向に垂直に延びた突片３ａ、３ａと、左右方向に水平に延びた突片３ａ、３ａで断面十字状に形成されている。
即ち反射板３は一つの突片３ａに対して中心ａで角度９０度づつ屈曲して形成されている。
反射板３は一体に形成したり、突片３ａごとに形成して互いに接続して形成しても良い。
反射板３は各突片３ａの端部３ｂがルア−本体２の内側面２ｄに延びる複数の板状の突片３ａを有することになり、その端部３ｂがルア−本体２の内側面２ｄに当接して支持されている。
それぞれの突片３ａの両側には反射面４が形成され、反射面４は平面状でルア−本体２の前後方向に延びて形成されている。
反射板３は合成樹脂で形成し、その表面に反射面４を形成するために、メッキや蒸着によってる金属薄膜層を形成したり、金属板や金属箔を添着したり、透光性を有する合成樹脂板に金属板や金属箔を内蔵させたり合成樹脂板の間に介在させたりして金属層を形成する他、反射板３自体を金属によって形成し、金属によって光を反射する反射面４を形成することができる。
この場合金属層の表面を研磨して鏡面状の光の反射面４を形成し光の反射を良好にしておく。
【００１０】
このように反射板３が形成されていると、ルア−本体２を側方から見た場合に、ルア−１の動き、特にロ−リングアクションによってルア−本体２が前後方向軸線ｂの周方向に回るように左右に揺動すると、上下方向に延びる突片３ａの反射面４と左右方向に延びる突片３ａの上下面が透光性を有するルア−本体２を通して角度が変わるたびにそれぞれ違った光を反射するところが見える。
これらの反射板３の反射面４はそれぞれ反射面４の色を変えたり、反射面４に微細な凹凸を設けて反射面４の光の反射量を変えたりして魚によって誘う効果をコントロ−ルすることができる。
また、反射面４は、左右中心線ｃを挟んでそれぞれ左右両側に複数形成されているためロ−リングによる光の反射効果を効率よく発揮して魚へのアピ−ルを十分に行える。
【００１１】
前記のようにルア−１が構成されていると、ルア−１の動き（アクション）によって方向の異なる反射板３の反射面４がそれぞれ光を反射して十分に魚を誘うことができる。
また、方向が異なる反射面４はそれぞれ光を反射するタイミングが異なって時間差を持って光を反射するため目立って、十分に魚の気を引くことができる。
さらに、反射面４はルア−本体２の周方向に方向が異なっているため、ルア−の前後方向軸線ｂを中心に左右に揺動（ロ−リング）する時に方向の異なる反射板３の反射面４がそれぞれ光を反射して十分に魚を誘うことができる。
さらに、反射面４は、左右中心線ｃを挟んでそれぞれ左右両側に均等に配されているためルア−本体２のバランスも良好となる。
【実施例２】
【００１２】
図４から図６は第２実施例で図４はルア−の外観斜視図、図５はルア−の側面図、図６はルア−の断面正面図である。
【００１３】
第２実施例の反射板５はＴ字状に縦に長い突片５ａと長い突片５ａの上部に連結位置を中心に一方の横向きの突片５ａと他方の横向きの突片５ａで形成され、ルア−本体２の内側の中空部Ａ内に、反射板５の突片５ａの端部５ｂがルア−本体２の内側面２ｄに当接して支持されている。
他の構成は前記第１実施例と略同一である。
実施例２において、Ｔ字状に形成した反射板５においてもそれぞれのルア−１の動きに応じてタイミングをずらして複雑に光を反射して魚を誘うこととなる。
【実施例３】
【００１４】
図７から図９は第３実施例で図７はルア−の外観斜視図、図８はルア−の側面図、図９はルア−の断面正面図である。
【００１５】
第３実施例の反射板６はＹ字状に中心ａを中心に角度１２０度で三つの突片６ａが中央側から周方向に向けて突出屈曲して形成され、ルア−本体２の内側の中空部Ａ内に、反射板６の突片６ａの端部６ｂがルア−本体２の内側面２ｄに当接して支持されている。
他の構成は前記第１実施例と略同一である。
実施例３において、Ｙ字状に形成した反射板６においてもそれぞれのルア−１の動きに応じてタイミングをずらして複雑に光を反射して魚を誘うこととなる。
【実施例４】
【００１６】
図１０から図１２は第４実施例で図１０はルア−の外観斜視図、図１１はルア−の側面図、図１２はルア−の断面正面図である。
【００１７】
第４実施例の反射板７は「く」字状の突片７ａ、７ａが中心ａ位置で２組背中合わせでＸ字状になるように周方向に向けて突出屈曲して形成され、ルア−本体２の内側の中空部Ａ内に、反射板７の突片７ａの端部７ｂがルア−本体２の内側面２ｄに当接して支持されている。
他の構成は前記第１実施例と略同一である。
実施例４において、「く」字状に形成した反射板７においてもそれぞれのルア−１の動きに応じてタイミングをずらして複雑に光を反射して魚を誘うこととなる。
【産業上の利用可能性】
【００１８】
本発明はルア−全般に利用できる。
【図面の簡単な説明】
【００１９】
【図１】第１実施例でルア−の外観斜視図である。
【図２】同ルア−の側面図である。
【図３】同ルア−の断面正面図である。
【図４】第２実施例でルア−の外観斜視図である。
【図５】同ルア−の側面図である。
【図６】同ルア−の断面正面図である。
【図７】第３実施例でルア−の外観斜視図である。
【図８】同ルア−の側面図である。
【図９】同ルア−の断面正面図である。
【図１０】第４実施例でルア−の外観斜視図である。
【図１１】同ルア−の側面図である。
【図１２】同ルア−の断面正面図である。
【符号の説明】
【００２０】
１  ルア−
２  ルア−本体
３、５、６、７  反射板
３ａ、５ａ、６ａ、７ａ  突片
【図１】
2010154762.tif 000003
【図２】
2010154762.tif 000004
【図３】
2010154762.tif 000005
【図４】
2010154762.tif 000006
【図５】
2010154762.tif 000007
【図６】
2010154762.tif 000008
【図７】
2010154762.tif 000009
【図８】
2010154762.tif 000010
【図９】
2010154762.tif 000011
【図１０】
2010154762.tif 000012
【図１１】
2010154762.tif 000013
【図１２】
2010154762.tif 000014